(57)【要約】【課題】健康増進のためにする歩行の歩行実績を記録して歩行者に提示する。【解決手段】歩行者が保持するＩＤタグから周期的に自己のＩＤuを送信し、指定された道路に沿って配置された計測ポイント装置は、受信した上記ＩＤuと自己のＩＤpとを基地局装置を介してデータセンタ装置に送信し、データセンタ装置は受信した上記ＩＤuとＩＤpに受信した時刻を付してこれを原始データとして保管し、この原始データを処理して歩行管理に必要な資料を作成する。【選択図】図１
2005177048.tif 000002
【特許請求の範囲】
【請求項１】
利用者が所持し、所定周期毎に利用者の識別情報ＩＤuを計測ポイント装置に送信するＩＤタグと、
健康維持増進のために設定した道路に沿って任意の間隔をおいて設けられ、計測ポイントの識別情報ＩＤpが記憶され、上記ＩＤuを受信するとその受信したＩＤuと上記ＩＤpとをデータセンタ装置に送信する上記計測ポイント装置と、
受信したデータを集計処理する上記データセンタ装置とを具備し、
上記データセンタ装置は、
上記ＩＤu毎に対応する属性を記録した個人データベースと、
上記計測ポイント毎に隣接する上記計測ポイントの間隔とその間隔に対応する制限時間とを記憶した時間制限メモリと、
受信したＩＤuとＩＤpと時刻とからなる原始データを記録する１次データベースと、
上記原始データの次に同一ＩＤuで所定時間内の原始データがない場合は、その原始データ以前の連続するそのＩＤuの原始データを抽出する抽出手段と、
上記抽出した原始データの中から、隣接するＩＤpの時刻間が上記時間制限メモリの対応する制限時間外にある原始データを除去する除去手段と、
上記抽出除去された原始データの隣接するＩＤp間の距離を累計し、その累計距離とそれに対応するＩＤu、ＩＤp、日時とを歩行実績として記録する２次データベースと、
上記歩行実績をＩＤu別、期間別に応じて集計処理して出力表示する出力表示手段と、
上記歩行実績を集計処理する様式を指定する操作手段と、
上記２次データベースに歩行実績を記録した場合はその原始データを上記１次データベースから消去し、上記出力表示手段に集計処理した結果を出力した場合はその歩行実績を上記２次データベースから消去する消去手段と、
を具備することを特徴とするヘルスロードチェッカーシステム。
【請求項２】
上記計測ポイントは上記道路毎に設けられた無線基地局を介して上記データセンタ装置にデータを送信することを特徴とする請求項１記載のヘルスロードチェッカーシステム。
【請求項３】
上記出力表示手段はＩＤu毎に、週単位、月単位、年単位のいずれかで集計処理した結果を表示することを特徴とする請求項１又は２記載のヘルスロードチェッカーシステム。
【請求項４】
上記出力表示手段は、期間別に集計した歩行実績の大きい順に複数のＩＤuを表示することを特徴とする請求項１乃至３のいずれかに記載のヘルスロードチェッカーシステム。
【請求項５】
上記出力表示手段は、歩行実績に対し適正範囲以上、適正範囲内、適正範囲以下のいずれかを付記して表示することを特徴とする請求項３又は４に記載のヘルスロードチェッカーシステム。
【発明の詳細な説明】
【技術分野】
【０００１】
この発明は，健康の維持増進を目的として歩行者が行った道路上でのウォーキングの実績を記録し、これを目的に沿うように集計処理して歩行者に提示する技術に関する。
【背景技術】
【０００２】
従来は、健康のためにする歩行量の尺度として距離、時間、歩数のいずれかが用いられていた。例えば地図等を参照して算出した出発地と到着地間の歩行距離や、時計を用いて出発時刻と到着時刻から算出した歩行時間や、万歩計（登録商標）を用いて得られた歩行数のいずれかを歩行の実績値としていた。又、これらの個人別に得た実績値を自動的に記録し、更にこれを集計処理する装置やシステムは無かった。
【発明の開示】
【発明が解決しようとする課題】
【０００３】
地図等から距離を正確に求めることは一般に難しく、求められた距離は通常１ｋｍ程度の誤差を持っている。そして所定の歩行速度で歩行するためには、歩行時間を時計により求めて歩行距離をその歩行時間で除算する必要があるが、一般には煩瑣であるのでこのようなことはなされておらず、それぞれの歩行尺度は単独に用いられている。つまり、従来は歩行速度を考慮しないウォーキングがなされていた。又、万歩計（登録商標）を用いて得られた歩行数は歩行距離と歩行速度を考慮するものでなく、これは正しいウォーキングの指標とはなり得ない。
【０００４】
又、ウォーキングは継続的に実行してその効果が得られるものであるが、そのためにはウォーキングの実績を記録し、この記録を参考にして今後の計画を立てるという方法をとる必要がある。しかし、一般にはこのようなことはなされておらず、つまり実績管理（ｐｌａｎ−ｓｅｅ−ｄｏ）は殆どなされていない。
この発明の目的はウォーキングの実績を記録し、それを合目的に集計処理してこれを歩行者に提示することができるシステムを提供することにある。
【課題を解決するための手段】
【０００５】
この発明によれば、歩行者が保持し、周期的に自己のＩＤuを送信するＩＤタグと、指定された道路に沿って配置され、受信した上記ＩＤuと自己のＩＤpとを送信する計測ポイントと、受信した上記ＩＤuとＩＤpに基づくデータ処理を行うデータセンタ装置とで構成されるシステムにより上記目的が達成される。
【発明の効果】
【０００６】
この発明によれば、正確な歩行距離（２００ｍくらいの誤差）と歩行速度の把握、歩行実績の記録と期間別集計、他人や標準との比較資料の提示等が可能になるので、歩行者は正しいウォーキングをすることができると共に、他人との競争意識や仲間意識を持つこともできる。
【発明を実施するための最良の形態】
【０００７】
図１に歩行者が携帯するＩＤタグ１と、道路４に配置された複数の計測ポイント２と、中央に設置されたデータセンタ装置３とで構成されるこの発明のシステムの実施例を示す。
道路４が複数設けられた場合等は、道路４毎に基地局装置７を設けてもよい。
図２に示されるＩＤタグ１は、歩行者が行政等のシステム管理者により指定された道路４を歩行するときに携帯する至極小型のもので、ＩＤuメモリ１１と送信装置１２と操作手段１３とからなる。ＩＤuメモリ１１は歩行者の識別情報ＩＤuが格納されており、このＩＤuはデータセンタ装置３に登録されると共にデータセンタ装置３等から与えられる。送信装置１２はこのＩＤuで変調された搬送波(例えば１００ｋＨｚ)パルス(例えば１ｍｓ幅)を周期的(例えば１秒間隔)に送信する。信号送出のデューティ比は小さい(例えば１／１０００)ので消費電力は少なく、単に信号を送出するだけの回路、つまり受信動作や誤まり制御をしない回路なので簡潔である。操作手段１３は送信装置１２の強制動作をさせるだけのものである。このようにＩＤタグ１は消費電力が少なく、かつ、僅かの情報を送るだけの小型かつ単純な装置である。
【０００８】
指定された道路４に沿って任意の間隔（例えば２００ｍ）をおいて配置されている計測ポイント装置２は、図３に示されるようにＩＤpメモリ２１と、受信装置２２と、送信装置２３と、受信アンテナ２４と、送信アンテナ２５とからなる。受信アンテナ２４は近付いてきたＩＤタグ１からの電波又は誘導電界を受信する無指向性に近いものである。ＩＤpメモリ２１は自己の識別情報ＩＤpを格納するものである。受信装置２２はＩＤuを受信したらＩＤuとＩＤpとを送信装置２３に送る。ＩＤuは歩行者が計測ポイント装置２の近辺を通過中に複数回受信されるが、これらの複数のＩＤuによってその受信を確認して１回だけ送信装置２３に送ればよい。又ほぼ同時に複数の歩行者が計測ポイント装置２の近辺を通過する場合でも、信号のデューティ比（１／１０００程度）が小さいので混信（同時受信）の危険は小さい。送信装置２３は受信装置２２から受けたＩＤuとＩＤpとを、送信アンテナ２５を介して基地局装置５の受信アンテナ５５に送信する。送信アンテナ２５は受信アンテナ５５に大きな指向性を有するものである。計測ポイント２は単にＩＤuを中継するだけの動作をするので単純な装置である。しかし同じＩＤuの複数回受信や、異なるＩＤuの連続受信の場合があるのでＩＤタグ１よりは高度な機能を必要とする。
【０００９】
図４に示されるように基地局装置５は受信装置５１と、送信装置５２と、ＩＤrメモリ５３と、受信アンテナ５５と、通信回線５４とで構成される。受信アンテナ５５を介して受信したＩＤuとＩＤpにＩＤrメモリ５３に格納されている自己の識別情報ＩＤrを付加して、通信回線５４を介してデータセンタ装置３に送信する。
図５に示されるようデータセンタ装置３は時計３１と、ＣＰＵ３２と、受信装置３３と、出力表示装置３４と、制限時間検出手段３５と、歩行完了抽出手段３６と、時間制限メモリ３７と、個人データベース３８と、１次データベース３９と、２次データベース３０と、操作手段３０１とで構成される。図６（ａ）に示される如く個人データベース３８にはＩＤuに対応させた歩行者の属性が格納されている。受信したＩＤuは登録したものであることを個人データベース３８で確認してから、記録、処理、集計等のそれ以降のデータ処理がなされる。
【００１０】
１次データベース３９にはＩＤuとＩＤpとＩＤrを受信する毎にこのデータに時計３１から得られた時刻が付された１組のデータが記憶される。この１組のデータはそれぞれ歩行者が計測ポイント装置２を通過する度に作られる原始データであり、この中の時刻情報を用いて１つの歩行単位を選定して歩行実績とされる。１つの歩行実績が決定されたらその歩行実績は２次データベース３０に転送されて、関連する原始データは１次データベース３９から除去される。
時間制限メモリ３７にはＩＤpと隣接するＩＤp間の距離とそのＩＤp間の歩行制限時間が格納されている。１次データベース３９中の原始データにこの歩行制限時間を超過するものがあれば、このデータは２次データベース３０で集計される時に除去される。これは歩行中に寄り道をしたり、休んだりした区間は歩行実績に含めないためにする措置である。
【００１１】
２次データベース３０には１つの歩行実績毎にＩＤuと、ＩＤpと、ＩＤrと、開始時刻と終了時刻と、歩行距離とが記録される。この歩行距離には上述したように歩行制限時間を超過したものは除去されている。
出力表示装置３４に出力される個人記録表は例えば図６（ｂ）に示されるように、個人別かつ月日別に、何時、何処で、どれだけ歩いたかを集計したものとされる。これは週単位等で集計したり、歩行量の適正、過度、不足マークを付したり、歩行速度の適正、速過ぎ、遅過ぎマークを付したりすることも考えられる。又、例えば図６（ｃ）に示されるように、所属団体（会社、地域等）毎に順位を付して集計することも考えられる。
【００１２】
図７にデータセンタ装置の動作を示す。計測ポイント２からＩＤuとＩＤpを受信すると（Ｓ１）、個人データベース３８を参照してそのＩＤuは登録されたのであるか否かを照合する（Ｓ２）。未登録であるならばそのデータは無視し、登録されたのであればこのデータを１次データベース３９に受信した時刻を付して原始データとして格納する（Ｓ３）。
操作手段３０１からＩＤu、ＩＤuグループ、期間、順位等を付した出力指示があると、原始データの処理を開始する（Ｓ４）。先ず次に所定時間（例えば１時間）内の同一ＩＤuの原始データのない原始データは、そこで歩行が完了したと判定してその原始データ以前の同一ＩＤuの連続した原始データを抽出する（Ｓ５）。
【００１３】
次に抽出した一連の原始データの中から、隣接する時刻間隔が制限時間メモリ３７の対応する制限時間以上のものを、歩行中断したものと判定して除去する（Ｓ６）。除去した一連の原始データの隣接するＩＤp間の距離を累積してこれを歩行距離とし、これにＩＤu、最初と最後のそれぞれのＩＤpと時刻を付したものを歩行実績として２次データベース３０に記録する（Ｓ７）。
２次データベース３０に歩行実績を記録すればそのデータに関わる原始データは１次データベース３９から除去される（Ｓ９）。原始データの除去は操作手段３０１の指示による日単位、月単位等の集計処理が終わってから行ってもよい。
【００１４】
２次データベース３０に記録された歩行実績は、指定された様式に集計処理される（Ｓ８）。集計処理されたものは印刷されて歩行者に郵送されたり、出力表示装置３４に表示して歩行者の閲覧にしたり、ホームページに掲載したりすることができる。図６（ｂ）に示される如く個人記録表には、指定された期間(例えば月）毎にどの区間を何時に何ｋｍ歩いたかが記録される。又、これには平均速度、適正歩行距離速度との対比、他の歩行者との対比(順位等）等の情報を付加してもよい。又、図６（ｃ）に示される如く例えばある地域におけるグループ記録表は、順位（全員の平均歩行距離、参加者の平均歩行距離、参加率等の）、会社名、参加者数、平均歩行距離、参加率等が記録され、これに基づく順位争いを行わせることも考えられる。
【図面の簡単な説明】
【００１５】
【図１】この発明のシステムを示す図。
【図２】この発明のＩＤタグを示す図。
【図３】この発明の計測ポイント装置を示す図。
【図４】この発明の基地局装置を示す図。
【図５】この発明のデータセンタ装置を示す図。
【図６】（ａ）は図５の個人データベースを示す図、（ｂ）は個人集計表を示す図、  （ｃ）はグループ集計表を示す図である。
【図７】この発明のデータセンタ装置の動作を示す図。
【図１】
2005177048.tif 000003
【図２】
2005177048.tif 000004
【図３】
2005177048.tif 000005
【図４】
2005177048.tif 000006
【図５】
2005177048.tif 000007
【図６】
2005177048.tif 000008
【図７】
2005177048.tif 000009